(57)【要約】【目的】  受信不能による映像表示停止が生じてもユーザが装置の故障と誤認するのを極力防止することができるディジタル放送受信装置を提供する。【構成】  受信電波状況が悪化してＩＤＲフレームを取得できなかったような場合には、表示部３６の画面に何も映し出されないといったことが生じるおそれがあるが、この発明においては、放送波の受信状況悪化によって受信映像の表示不能状態となったとき（ＡＶデコーダ４からデコード不能の通知、チューナ２から誤り訂正不能の通知、或いはチューナ２から放送波受信不能の通知をＣＰＵ１３が受け取ったとき等）、ＯＳＤ回路１２を用いたメッセージ表示を行う。このメッセージは、例えば、「受信障害のため、映像を表示できません」のごとく、放送波の受信状況悪化による受信映像の表示不能状態であることを示す内容となる。【選択図】        図１
2006166269.tif 000002
【特許請求の範囲】
【請求項１】
地上ディジタル放送波を受信して映像をディスプレイに表示するディジタル放送受信装置において、放送波の受信状況悪化によって受信映像の表示不能状態となったときに、放送波の受信状況悪化による受信映像の表示不能状態であることを示すメッセージ、静止画像、及びアニメーション画像のうちの少なくとも一つを前記ディスプレイに表示するように構成されたことを特徴とするディジタル放送受信装置。
【請求項２】
地上ディジタル放送波を受信して映像をディスプレイに表示するディジタル放送受信装置において、最新の受信映像をメモリに一時的に記憶する手段を備えており、放送波の受信状況悪化によって受信映像の表示不能状態となったときに、前記メモリから読み出した受信静止映像を前記ディスプレイに表示するように構成されたことを特徴とするディジタル放送受信装置。
【請求項３】
請求項２に記載のディジタル放送受信装置において、前記表示不能状態となってからの時間を計測する手段を備え、所定時間内に放送受信が可能となったときには前記受信静止映像と新たに受信した映像データとによって映像を生成するように構成されたことを特徴とするディジタル放送受信装置。
【請求項４】
請求項２に記載のディジタル放送受信装置において、前記表示不能状態となってからの時間を計測する手段を備え、所定時間内に放送受信が可能とならなかったときに、前記受信静止映像が徐々に非表示となるフェードアウト処理を行うように構成されたことを特徴とするディジタル放送受信装置。
【請求項５】
請求項３に記載のディジタル放送受信装置において、所定時間内に放送受信が可能とならなかったときに、前記受信静止映像が徐々に非表示となるフェードアウト処理を行うように構成されたことを特徴とするディジタル放送受信装置。
【請求項６】
請求項４又は請求項５に記載のディジタル放送受信装置において、前記フェードアウト処理は、前記ディスプレイの表示輝度を徐々に低下させることにより行うことを特徴とするディジタル放送受信装置。
【請求項７】
請求項６に記載のディジタル放送受信装置において、任意の静止画像又はアニメーション画像が格納されるメモリを備えており、前記表示輝度が一定以下となったときに、前記メモリから読み出した任意の静止画像又はアニメーション画像を前記ディスプレイに表示するように構成されたことを特徴とするディジタル放送受信装置。
【請求項８】
請求項４又は請求項５に記載のディジタル放送受信装置において、任意の静止画像又はアニメーション画像が格納されるメモリを備えており、前記フェードアウト処理は、前記受信静止映像を徐々に前記任意の静止画像又はアニメーション画像に置き換えることにより行うことを特徴とするディジタル放送受信装置。
【請求項９】
請求項１乃至請求項８のいずれかに記載のディジタル放送受信装置において、地上ディジタル放送を受信する携帯型又は移動型として構成されたことを特徴とするディジタル放送受信装置。
【発明の詳細な説明】
【技術分野】
【０００１】
この発明は、地上ディジタル放送を受信するディジタル放送受信装置に関する。
【背景技術】
【０００２】
従来からの地上アナログ放送では、電波受信状況が悪化すると、受信映像にノイズ等が入ることになる。一方、地上ディジタル放送では、地上アナログ放送のような映像ノイズ等は生じない（特許文献１参照）。
【特許文献１】特開２００４−２０８１４９号公報
【発明の開示】
【発明が解決しようとする課題】
【０００３】
上述のごとく、地上アナログ放送では、電波受信状況が悪化した場合に映像ノイズ等から電波受信状況の悪化をユーザは知ることができるが、地上ディジタル放送では突然に映像が映らなくなるなどするため、ユーザは装置が故障したと誤認するそれがある。特に、携帯型等の地上ディジタル放送受信装置においては、移動しながらの受信となるため、受信不能による映像表示停止状態がしばしば起こるものと予想される。
【０００４】
この発明は、上記の事情に鑑み、受信不能による映像表示停止が生じてもユーザが装置の故障と誤認するのを極力防止することができるディジタル放送受信装置を提供することを目的とする。
【課題を解決するための手段】
【０００５】
この発明のディジタル放送受信装置は、上記課題を解決するために、地上ディジタル放送波を受信して映像をディスプレイに表示するディジタル放送受信装置において、放送波の受信状況悪化によって受信映像が表示不能状態となったときに、放送波の受信状況悪化による受信映像の表示不能状態であることを示すメッセージ、静止画像、及びアニメーション画像のうちの少なくとも一つを前記ディスプレイに表示するように構成されたことを特徴とする（以下、この項において第１構成という）。
【０００６】
上記第１構成であれば、受信映像の表示不能状態となったときに、放送波の受信状況悪化による受信映像の表示不能状態であることを示すメッセージ等を前記ディスプレイに表示するので、受信不能による映像表示停止が生じてもユーザが装置の故障と誤認するのを極力防止することができる。
【０００７】
また、この発明のディジタル放送受信装置は、地上ディジタル放送波を受信して映像をディスプレイに表示するディジタル放送受信装置において、最新の受信映像をメモリに一時的に記憶する手段を備えており、放送波の受信状況悪化によって受信映像の表示不能状態となったときに、前記メモリから読み出した受信静止映像を前記ディスプレイに表示するように構成されたことを特徴とする（以下、この項において第２構成という）。
【０００８】
上記第２構成であれば、受信映像の表示不能状態となったときに、前記メモリから読み出した受信静止映像を前記ディスプレイに表示するので、かかる受信静止映像を見た利用者は、放送波の受信状況悪化によって受信映像の表示不能状態となったことを理解することができる。
【０００９】
上記第２構成において、前記表示不能状態となってからの時間を計測する手段を備え、所定時間内に放送受信が可能となったときには前記受信静止映像と新たに受信した映像データとによって映像を生成するように構成されていてもよい。また、かかる構成において、前記表示不能状態となってからの時間を計測する手段を備え、所定時間内に放送受信が可能とならなかったときに、前記受信静止映像が徐々に非表示となるフェードアウト処理を行うように構成されていてもよい。
【００１０】
上記第２構成において、所定時間内に放送受信が可能とならなかったときに、前記受信静止映像が徐々に非表示となるフェードアウト処理を行うように構成されれていてもよい。
【００１１】
これらフェードアウト処理を行う構成において、当該フェードアウト処理は、前記ディスプレイの表示輝度を徐々に低下させることにより行うこととしてもよい。かかる構成において、任意の静止画像又はアニメーション画像が格納されるメモリを備えており、前記表示輝度が一定以下となったときに、前記メモリから読み出した任意の静止画像又はアニメーション画像を前記ディスプレイに表示するように構成されていてもよい。
【００１２】
また、フェードアウト処理を行う構成において、任意の静止画像又はアニメーション画像が格納されるメモリを備えており、前記フェードアウト処理は、前記受信静止映像を徐々に前記任意の静止画像又はアニメーション画像に置き換えることにより行うこととしてもよい。
【００１３】
また、これら構成のディジタル放送受信装置は、地上ディジタル放送を受信する携帯型又は移動型として構成されていてもよい。
【発明の効果】
【００１４】
この発明によれば、受信不能による映像表示停止が生じてもユーザが装置の故障と誤認するのを極力防止することができるという効果を奏する。
【発明を実施するための最良の形態】
【００１５】
以下、この発明の実施形態のディジタル放送受信装置を図１及び図２に基づいて説明する。なお、ここでは、ＴＶ付き携帯電話として構成された地上ディジタル放送受信装置を例示している。
【００１６】
図１はＴＶ付き携帯電話１０を示したブロック図である。このＴＶ付き携帯電話１０は、電話機能部３０とディジタル放送受信部２０とを備えて成る。電話機能部３０は、制御部３１と、無線通信部３２と、音声処理部３３と、メモリ部３４と、キー入力部（操作部）３５と、表示部（例えば、液晶パネル）３６と、データ処理部３７とを備えて成る。通常の電話処理において受信した音声信号は音声処理部３３を介してスピーカ３８に与えられる一方、ユーザの発した音声はマイク３９にて音声信号となり、音声処理部３３で増幅等の処理がなされた音声信号は無線通信部３２によって送出される。データ処理部３７は受信したパケットに対する処理を行う。無線通信部３２は、音声やデータの送受信処理、基地局６０との間での所定のプロトコル処理（送信時処理、受信時処理）を行う。制御部３１は電話機能部３０における全体制御を行うと共に、ディジタル放送受信部２０との間の連携のための処理を行う。例えば、基本的な処理として、キー入力部３５においてテレビ機能起動キーがＯＮ操作されたときには、ディジタル放送受信部２０にＯＮ指令を与え、ディジタル放送受信部２０から出力される映像を表示部３６に与える処理や、キー入力部３５のテンキーが操作されたときに、その番号をチャンネル番号とする選局指令をディジタル放送受信部２０に与える処理などを行う。
【００１７】
次に、ディジタル放送受信部２０を図２に基づいて説明していく。地上アンテナ１は受信した信号を地上波ディジタルチューナ２に与える。地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００１８】
デマルチプレクサ（ＤＥＭＵＸ）３は、前記トランスポート・ストリームを、ＩＥＥＥにおけるＨ．２６４などのビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）や放送情報（地域識別子，サービス種別，放送局識別，サービス番号、リモートコントロールキーＩＤ）などに分離する。デマルチプレクサ３は、ビデオストリームとオーディオストリームをＡＶデコーダ４に供給し、ＰＳＩ／ＳＩや放送情報等（これら情報を番組情報という）をＣＰＵ１３に供給する。
【００１９】
ＡＶデコーダ４は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データはフレームバッファメモリ５に出力され、音声データは音声処理回路６に出力される。
【００２０】
フレームバッファメモリ５はＡＶデコーダ４から最新の１フレーム分の映像データを受け取り、これを描画メモリ（ＶＲＡＭ）７に供給する。この描画メモリ７の内容が表示部３６において表示される。音声処理回路６はＡＶデコーダ４から出力された音声データを受け取ってＤ／Ａ変換を行い、例えば右（Ｒ）音のアナログ信号及び左（Ｌ）音のアナログ信号を生成する。これら音声信号はスピーカ３８又は通話用とは別に設けられた図示しないスピーカに供給される。
【００２１】
メモリ（例えば、ＲＡＭ、ＥＥＰＲＯＭ、フラッシュメモリ等）１４には、チャンネルテーブル（周波数情報や放送局名等をリモートコントロールキーＩＤやチャンネル番号に対応させたチャンネルリスト）などが格納される。また、メモリ１４には、静止画ファイルやアニメーションファイルが格納される。
【００２２】
ＣＰＵ１３はＯＳＤ（オンスクリーンディスプレイ）機能を備えており、文字情報や色情報に基づく映像データを描画メモリ７に書き込む。また、ＣＰＵ１３は、メモリ１４に格納されている静止画ファイルやアニメーションファイルを読み出して前記描画メモリ７に書き込むことができる。また、ＣＰＵ１３は、外部入出力インターフェイス９を介して電話機能部３０と情報の遣り取りを行う。また、ＣＰＵ１３は、ディジタル放送受信部２０によるチャンネルサーチ処理及びそのサーチ結果（チャンネルテーブル）を利用した選局処理等を行うことが可能である。
【００２３】
ところで、地上ディジタル放送では、放送データは先述したように、トランスポート・ストリーム・パケット（Ｔｒａｎｓｐｏｒｔ  Ｓｔｒｅａｍ  Ｐａｃｋｅｔ）と呼ばれる固定長のデータからなるトランスポート・ストリーム（Ｔｒａｎｓｐｏｒｔ  Ｓｔｒｅａｍ）で構成されている。各ＴＳパケットには映像データ、音声データなどの各データによってＰＩＤが割り振られており、ＰＩＤによってデマルチプレクサ３は各データを分離する。
【００２４】
地上波ディジタル放送の携帯電話用放送において、映像符号化方式はＩＥＥＥのＨ．２６４が採用される。Ｈ．２６４に含まれるフレームには、ＩＤＲフレーム（独立フレーム）とｎｏｎ＿ＩＤＲフレーム（付随フレーム）があり、ＩＤＲフレームからデコードすると正常にデコードができることが保証されており、ＩＤＲフレームは確実にデコードすることが必要になる。
【００２５】
受信電波状況が悪化してＩＤＲフレームを取得できなかったような場合には、表示部３６の画面に何も映し出されないといったことが生じるおそれがあるが、この発明においては、放送波の受信状況悪化によって受信映像の表示不能状態となったとき（ＡＶデコーダ４からデコード不能の通知、チューナ２から誤り訂正不能の通知をＣＰＵ１３が受けたとき、或いはチューナ２からの受信電波強度信号に基づいて放送波受信不能とＣＰＵ１３が判断したとき等）、ＯＳＤ機能を用いたメッセージ表示を行う。このメッセージは、例えば、「受信障害のため、映像を表示できません」のごとく、放送波の受信状況悪化による受信映像の表示不能状態であることを示す内容となる。このようなメッセージは、ポップアップ的（吹き出し的）に表示してもよい。また、ＣＰＵ１３は、メモリ１４から読み出したキャラクタ静止画像とともに、当該キャラクタが喋っているように、前記ポップアップ的にメッセージを表示してもよい。更には、キャラクタアニメーション画像とともに、当該キャラクタが喋っているように、前記ポップアップ的にメッセージを表示してもよい。勿論、前記静止画像やアニメーション画像だけを表示することとしてもよい。静止画像やアニメーション画像が、放送波の受信状況悪化による受信映像の表示不能状態であることを示すための例としては、困った表情或いは困った素振りをするキャラクタを表示することが挙げられる。
【００２６】
上記のごとくメッセージ、静止画像、アニメーション画像が表示されることにより、受信不能による映像表示停止が生じてもユーザが装置の故障と誤認するのを極力防止することができる。
【００２７】
上記メッセージと共に或いは上記メッセージを表示しないで、受信不能が生じる前の最新の画像を表示部３６に表示してもよい。前述のごとく、フレームバッファメモリ５に常に最新のデコード画像が１フレーム分保持される。そして、受信不能が生じたときには、ＣＰＵ１３の指令によってＡＶデコーダ４の生成データがフレームバッファメモリ５に書き込まれるのを停止する。これにより、受信不能が生じたときには最新の受信静止画像が表示部３６に表示されることになり、ユーザは電波受信状況の悪化を認識できることになる。
【００２８】
また、前記受信不能が生じてから、タイマー（図示せず）を始動させ、所定時間（例えば、１〜２秒等）以内に放送波を受信できる状態に復帰した場合において、受信できたフレームがｎｏｎ＿ＩＤＲフレームであった場合には、ＣＰＵ１３の処理によってフレームバッファメモリ５から最新の受信静止画像が読み出され、この最新の受信静止画像がＡＶデコーダ４に与えられる。ＡＶデコーダ４は前記最新の受信静止画像と前記ｎｏｎ＿ＩＤＲフレームとの差分から画像を生成する（デコードする）。この生成画像は本来のＩＤＲフレームに基づく画像との差分で得られる本来画像とは異なるものとなるが、前記所定時間が比較的短いときには、本来画像に近い画像が得られる可能性がある。
【００２９】
上記所定時間以内に放送波を受信できる状態に復帰できなかった場合は、表示部３６に表示されている最新の受信静止画像がフェードアウトされる処理がなされるようにしてもよい。このフェードアウト処理は、例えば、表示部３６における表示輝度を徐々に低下させて最終的に黒画面とする処理としてもよい。或いは、前記黒画面とした後に、電話待ち受け画像をメモリ部３４又はメモリ１４から読み出して、表示部３６に通常輝度で表示するようにしてもよい。或いは、描画メモリ７上の最新の受信静止画像に対して、ドット単位で分散的に電話待ち受け画像のドットに徐々に置き換えていくこととしてもよい。前記置き換え方法については、他の手法（ページ捲り的な置き換え等）を採用することができる。また、電話待ち受け画像ではなく、受信不能時専用の画像（予め用意されている画像、或いは、ユーザによって指定された画像）を用いることとしてもよい。
【００３０】
また、例えばフレームバッファメモリ５に複数画像（フレーム）を貯えることとし、受信不能となった時点でフレームバッファメモリに貯えられている複数画像を再び再生させても良い。再生の順は時系列に新しいデータからでも良いし、古いデータからでも良い。これにより、動きのある映像が再び再生させられることで静止画再生に比べてユーザの違和感をなくすことができる。
【００３１】
また、上記の例では、ＴＶ機能付き携帯電話として説明したが、携帯型或いは移動型のディジタル放送受信装置として構成してもよい。また、据え置き型の地上ディジタル放送受信装置としてもよい。
【図面の簡単な説明】
【００３２】
【図１】この発明の実施形態の携帯電話を示したブロック図である。
【図２】この発明の実施形態の携帯電話の放送受信部を示したブロック図である。
【符号の説明】
【００３３】
１０    携帯電話
２０    ディジタル放送受信部
３０    電話機能部
３１    制御部
３２    無線通信部
【図１】
2006166269.tif 000003
【図２】
2006166269.tif 000004